(57)【特許請求の範囲】
【請求項１】
コネクタと接続可能な接続対象物を有した接続装置に対して前記接続対象物を覆うように固定可能なアダプタと、
前記コネクタを軸方向に移動可能に保持し前記接続対象物に前記コネクタが接続されるように前記アダプタに嵌合可能な筒部、前記コネクタを前記軸方向の先端側に付勢する第１のバネ、前記筒部に対して前記軸方向周りに回転可能な外筒部、を有したハウジングと、を備え、
前記外筒部及びアダプタは、互いにロック可能であり、前記アダプタに対する前記外筒部の前記軸方向での位置及び前記軸方向周りの位置に応じて前記アダプタに対する前記外筒部の前記軸方向でのロック位置が変化する係合部を有し、
前記アダプタの係合部は、突部であり、
前記外筒部の係合部は、前記突部が係合可能であり階段状に延びた溝部である、結合デバイス。
【請求項２】
前記アダプタ及び前記筒部は、互いに嵌合可能な嵌合位置を規定するガイド部を有している、請求項１の結合デバイス。
【請求項３】
前記コネクタは、フェルール、前記フェルールを軸方向先端側に付勢する第２のバネ、を有する、請求項１又は２の結合デバイス。
【請求項４】
前記コネクタを前記接続対象物に接続する際には、前記第２のバネの付勢力に抗して前記フェルールが移動した後に前記第１のバネに抗して前記コネクタが移動する、請求項３の結合デバイス。
【発明の詳細な説明】
【技術分野】
【０００１】
本発明は、複数の部品間の接続とる結合デバイスに関する。
【背景技術】
【０００２】
コネクタと接続対象物との接続部分への被水を防止する結合構造が知られている。例えば接続対象物を有した接続装置に対して接続対象物を覆うように固定されたアダプタに、コネクタを保持したハウジングを嵌合させる。これにより、コネクタを接続対象物に接続しつつ防水性を確保できる。特許文献１、２には、このような防水に関する技術が開示されている。
【先行技術文献】
【特許文献】
【０００３】
【特許文献１】特開２００９−１０９５７８号公報
【特許文献２】特開２００９−２９４３４３号公報
【発明の概要】
【発明が解決しようとする課題】
【０００４】
コネクタの軸方向での接続対象物の長さは、接続対象物の種類によって異なる場合がある。従って、接続対象物の種類毎に、コネクタと接続対象物との接続部分の位置が異なる場合がある。この場合、コネクタと接続対象物とを適切に接続することができない恐れがある。このような場合には、接続対象物の種類に応じて個別に結合部品を用意しなければならず、汎用性に欠ける恐れがある。
【０００５】
そこで本発明は上記の課題に鑑みてなされたものであり、汎用性が向上した結合デバイスを提供することを目的とする。
【課題を解決するための手段】
【０００６】
本明細書に開示の結合デバイスは、コネクタと接続可能な接続対象物を有した接続装置に対して前記接続対象物を覆うように固定可能なアダプタと、前記コネクタを軸方向に移動可能に保持し前記接続対象物に前記コネクタが接続されるように前記アダプタに嵌合可能な筒部、前記コネクタを前記軸方向の先端側に付勢するバネ、を有したハウジングと、を備えている。
【発明の効果】
【０００７】
汎用性が向上した結合デバイスを提供できる。
【図面の簡単な説明】
【０００８】
【図１】図１は、本実施例の防水を考慮した接合構造を有する防水装置の説明図である。
【図２】図２は、防水装置の拡大図である。
【図３】図３Ａは、アダプタ１２０の正面図、図３Ｂは、ハウジング２０の正面図である。
【図４】図４は、ハウジング、アダプタの内部構造の説明図である。
【図５】図５Ａは、光コネクタの斜視図であり、図５Ｂは、取付部材の斜視図である。
【図６】図６は、アダプタとハウジングとの嵌合の説明図である。
【図７】図７は、アダプタとハウジングとの嵌合の説明図である。
【図８】図８は、アダプタとハウジングとの嵌合の説明図である。
【図９】図９Ａ、９Ｂは、ハウジングとアダプタとをロックする溝部、突部の説明図である。
【図１０】図１０は、溝部の拡大図である。
【図１１】図１１Ａ〜１１Ｃは、光モジュールの交換作業の説明図である。
【図１２】図１２Ａ、１２Ｂは、防水装置の第１変形例の説明図である。
【図１３】図１３Ａ、１３Ｂは、防水装置の第１変形例の説明図である。
【図１４】図１４は、防水装置の第２変形例の説明図である。
【図１５】図１５Ａ、１５Ｂは、防水装置の第３変形例の説明図である。
【図１６】図１６は、電気コネクタを採用した場合の防水装置の説明図である。
【発明を実施するための形態】
【０００９】
図１は、本実施例の防水を考慮した結合構造を持つ防水装置の説明図である。
防水構造は、光モジュール１１０を保持した接続装置１００、光モジュール１１０に接続可能な光コネクタ１０、光モジュール１１０と光コネクタ１０との接続部分の被水を防止する防水装置、を含む。接続装置１００は、例えば携帯電話基地局に用いられる光送受信装置であるが、これに限定されない。接続装置１００は、屋外で使用される装置であるが、屋内で使用される装置であってもよい。接続装置１００は、筐体１０２を有している。筐体１０２内には、プリント基板１０４が保持されている。光モジュール１１０は、プリント基板１０４に実装されている。光モジュール１１０は、例えばマルチソースアグリーメントインタフェースモジュールであり、ＧＢＩＣ(Gigabit Interface Converter)、又はＳＦＰ(Small Form Factor Pluggable)であるがこれに限定されない。この光モジュール１１０は、交換可能である。例えば、光モジュール１１０は、送信される光の波長や送信距離に応じて複数の種類が存在している。光モジュール１１０は、種類によって軸方向長さが異なっている。ここで、軸方向とは、光モジュール１１０に光コネクタ１０が挿入される方向であり、光コネクタの軸方向と同じ方向である。
【００１０】
防水装置は、ハウジング２０、アダプタ１２０を含む。ハウジング２０は、光コネクタ１０を保持している。アダプタ１２０は、筐体１０２から部分的に外部に突出した光モジュール１１０の部分を覆うように、筐体１０２に固定されている。ハウジング２０、アダプタ１２０は、例えば、金属や合成樹脂製であるが、それ以外の材料であってもよい。
【００１１】
図２は、防水装置の拡大図である。図３Ａは、アダプタ１２０の正面図、図３Ｂは、ハウジング２０の正面図である。
ハウジング２０は、筒部３０、外筒部４０、外筒部４０の基端側に設けられた連結体７０、連結体７０の基端側に接続されたケーブル８０、を有している。外筒部４０は、筒部３０を覆うように筒部３０の外側に位置している。筒部３０、外筒部４０は、何れも円筒状である。筒部３０の先端部は、外筒部４０の先端部よりも軸方向先端側に突出している。外筒部４０には、溝部４５が形成されている。溝部４５については詳しくは後述する。
【００１２】
アダプタ１２０は、筐体１０２の壁面に固定された平板状のベース部１２８、筐体１０２に対して垂直方向に延びた嵌合部１２２、を有している。嵌合部１２２は円筒状である。嵌合部１２２の外周面には突部１２５が設けられている。突部１２５は、溝部４５と係合可能である。尚、図３Ａ、３Ｂに示すように、突部１２５は、嵌合部１２２の外周面に２つ設けられ、同様に、溝部４５は、外筒部４０に２つ設けられている。２つの突部１２５は、嵌合部１２２の中心軸周りに１８０度ずれた位置にそれぞれ設けられている。同様に、２つの溝部４５は、外筒部４０の中心軸周りに１８０度ずれた位置にそれぞれ設けられている。２つの溝部４５の形状は、互いに反転している。
【００１３】
図４は、ハウジング２０、アダプタ１２０の内部構造の説明図である。
筒部３０は、先端部に嵌合部３２を有している。嵌合部３２は、円筒状である。嵌合部３２内には、光コネクタ１０を軸方向に移動可能に支持するための支持部３５が設けられている。支持部３５には光コネクタ１０に取り付けられた取付部材６０が挿入された貫通孔３６が形成されている。貫通孔３６は、軸方向からみて略矩形状である。光コネクタ１０は、本体部１２を有しており、本体部１２の基端部に取付部材６０が取り付けられている。取付部材６０は、詳しくは後述するが、光コネクタ１０の光ファイバケーブル１９を逃がすための孔を有している。取付部材６０は、胴体部６２、基端部６４、胴体部６２と基端部６４との間にあるフランジ部６６、を有している。基端部６４は、胴体部６２よりも細く形成されているがこれに限定されない。胴体部６２が貫通孔３６に貫通している。貫通孔３６は、軸方向に直交する平面方向での取付部材６０の移動を規制している。これにより、光コネクタ１０の軸方向に直交する平面方向での移動が規制される。
【００１４】
筒部３０の、支持部３５よりも基端側には、仕切り壁５０が固定されている。仕切り壁５０には、光ファイバケーブル１９を逃がすための貫通孔５４が設けられている。尚、詳しくは後述するが、貫通孔５４は、基端部６４の挿入を許容する大きさである。仕切り壁５０とフランジ部６６との間にはコイル状のバネＳ１が配置されている。コイル状のバネＳ１内に、基端部６４が挿入されている。バネＳ１の付勢力により、取付部材６０は、軸方向先端側に付勢されている。これにより、光コネクタ１０は、軸方向先端側に付勢されている。
【００１５】
筒部３０には、リング部材Ｒ１が設けられている。筒部３０には、最も外周の径が大きい摺接部３９が形成されている。摺接部３９と外筒部４０の内面とが摺動することにより、外筒部４０は、筒部３０に対して軸方向周りに回転可能となっている。また、リング部材Ｒ１が筒部３０に対する外筒部４０の回転を妨げないように、リング部材Ｒ１は筒部３０の窪み部分に配置されている。リング部材Ｒ１は、リング状でありゴム製である。また、外筒部４０は、筒部３０に対して軸方向に所定範囲を移動可能である。外筒部４０の当接部４３は、リング部材Ｒ１に当接して、外筒部４０の軸方向の移動を規定している。
【００１６】
筒部３０の基端側には連結体７０が連結されている。筒部３０は、連結体７０に対して軸方向周りに回転不能に連結さている。連結体７０と筒部３０との間にリング部材Ｒ２が設けられている。リング部材Ｒ２は、リング状でありゴム製である。筒部３０と連結体７０との隙間から水が浸入するのを防止するためである。連結体７０の基端側にケーブル８０が接続されており、光ファイバケーブル１９はケーブル８０内に挿入されている。
【００１７】
光コネクタ１０は、フェルール１１、フェルール１１を軸方向先端側に付勢するバネＳ２、フェルール１１及びバネＳ２を保持しラッチアーム１７が設けられた本体部１２を有している。ラッチアーム１７は、本体部１２に対し傾斜した姿勢を維持している。本体部１２の基端側には光ファイバケーブル１９が接続されている。フェルール１１は、本体部１２内で光ファイバに接続されている。光ファイバケーブル１９内には、光ファイバが配線されている。
【００１８】
アダプタ１２０は、筐体１０２に設けられた孔部分に嵌合している。アダプタ１２０は、筒部３０と嵌合する嵌合部１２２を有している。嵌合部１２２の基端側には、嵌合部１２２の内面と連続した円形状の嵌合溝部１２３が形成されている。また、アダプタ１２０は、光モジュール１１０が挿入された貫通孔１２６が形成されている。光モジュール１１０の先端部は、貫通孔１２６から突出している。ベース部１２８と筐体１０２との間にはリング部材Ｒ３が介在している。ベース部１２８と筐体１０２との間から筐体１０２内に水が浸入することを防止するためである。リング部材Ｒ３は、リング状でありゴム製である。
【００１９】
光モジュール１１０は、光コネクタ１０が挿入される挿入穴１１２を有しており、挿入穴１１２内には、光コネクタ１０のフェルール１１と接続されるフェルール１１１が設けられている。フェルール１１１は、バネＳ３により軸方向先端側に付勢されている。
【００２０】
図５Ａは、光コネクタ１０の斜視図である。図５Ｂは、取付部材６０の斜視図である。光コネクタ１０は、２芯型のＬＣ型の光コネクタである。光コネクタ１０には、２つのフェルール１１、２つの本体部１２、２つのラッチアーム１７、本体部１２の基端側に固定された２つのブーツ１８、２つの光ファイバケーブル１９が設けられている。ブーツ１８は、内部に光ファイバケーブル１９が挿通され光ファイバを保護するものであり弾性を有している。光ファイバケーブル１９内には、光ファイバが配置されている。尚、本体部１２のそれぞれには、フェルール１１を軸方向先端側に付勢するバネが設けられている。図５Ａは、取付部材６０を取り付ける前の光コネクタ１０を示している。
【００２１】
図５Ｂに示す取付部材６０は、２つの本体部１２の基端側に取り付けられる。取付部材６０は、ブーツ１８を覆うように取り付けられる。本体部６２は、略角筒状である。本体部６２は、略矩形状の貫通孔３６に挿通される。本体部６２内には、２つのブーツ１８が挿通される。基端部６４は、並列に２つ設けられている。２つの基端部６４内には、それぞれブーツ１８が挿入される。基端部６４は、それぞれ略円筒状である。バネＳ１は、２つの基端部６４の周囲にそれぞれ巻かれるようにして、２つ設けられる。フランジ部６６は、略枠状である。
【００２２】
図６〜図８は、アダプタ１２０とハウジング２０との嵌合の説明図である。
アダプタ１２０にハウジング２０を挿入する際には、外筒部４０と筒部３０との間に嵌合部１２２が挿入される。嵌合部３２は、嵌合溝部１２３に挿入される。図６は、フェルール１１、１１１が当接した状態を示している。更に、ハウジング２０をアダプタ１２０に向けて押すと、図７に示すように、フェルール１１は、バネＳ２の付勢力に抗して軸方向基端側に移動する。同様に、フェルール１１１は、バネＳ３の付勢力に抗して軸方向基端側に移動する。この状態で、フェルール１１は軸方向基端側に移動できる最大位置に移動しており、フェルール１１１も同様である。更に、ハウジング２０をアダプタ１２０に向けて押すと、図８に示すように、バネＳ１の付勢力に抗して光コネクタ１０全体が軸方向基端側に移動する。光コネクタ１０が軸方向基端側に移動することにより、取付部材６０の基端部６４は、仕切り壁５０の貫通孔５４内に挿入される。図８では、嵌合部３２は嵌合溝部１２３の奥まで挿入されている。これにより、光コネクタ１０と光モジュール１１０との接続部分が被水することを防止できる。
【００２３】
このように、光コネクタ１０は、軸方向に移動可能に支持されており、バネＳ１により軸方向先端側に付勢されている。これにより、光コネクタ１０を光モジュール１１０に接続する際に、種類によって異なる光モジュール１１０の軸方向長さを吸収して、両者を接続できる。これにより、例えば、光モジュール１１０を異なる種類の光モジュールに交換した場合であっても、同様の光コネクタ１０、ハウジング２０、アダプタ１２０を用いて、交換後の光モジュールと光コネクタ１０とを接続すると共に両者の接続部分の被水を抑制できる。このように本防水装置は、汎用性が向上している。
【００２４】
図７、図８に示したように、フェルール１１、１１１が当接して軸方向に移動した後に、光コネクタ１０はバネＳ１の付勢力に抗して軸方向基端側に移動する。これにより、フェルール１１、１１１との接続状態を確保できる。このように、バネＳ１が圧縮される前に、フェルール１１を付勢しているバネＳ２、フェルール１１１を付勢しているバネＳ３が圧縮される。これにより、例えバネＳ１が圧縮される前であっても、バネＳ２、Ｓ３の付勢力によりフェルール１１、１１１が互いに押圧された状態で維持することができる。これにより、フェルール１１、１１１同士の接続性を確保できる。
【００２５】
詳細には、２つのバネＳ１の合計のバネ定数Ｋ１は、２つのバネＳ２の合計のバネ定数のＫ２よりも大きい。即ち、Ｋ１＞Ｋ２である。換言すれば、光コネクタを付勢するバネのバネ定数は、フェルールを付勢するバネのバネ定数よりも大きい。尚、ハウジング２０は、光コネクタ１０を付勢するバネＳ１が２つ設けられているため、各バネＳ１のバネ定数をＫ１´とすると、２つのバネＳ１の合計のバネ定数は、Ｋ１＝２×Ｋ１´で表される。また、光コネクタ１０には、図５に示すように、２つのバネＳ２が設けられているため、各バネＳ２のバネ定数をＫ２´とすると、２つのバネ定数の合計は、Ｋ２＝２×Ｋ２´で表される。バネ定数は、Ｋ２＝（０．９９〜０．１）×Ｋ１にしてもよい。
【００２６】
図９Ａ、９Ｂは、ハウジング２０とアダプタ１２０とをロックする溝部４５、突部１２５の説明図である。
図９Ａに示すように、溝部４５は階段状である。溝部４５は、複数のロック位置４５ａ、４５ｂ、４５ｃを有している。突部１２５は、ロック位置４５ａ、４５ｂ、４５ｃの何れかで係合可能である。図９Ａは、突部１２５がロック位置４５ｃで係合している状態を示しており、図９Ｂは、突部１２５がロック位置４５ａで係合している状態を示している。図９Ａにおいては、アダプタ１２０に対してハウジング２０が最も深い位置でロックされている。図９Ｂにおいては、アダプタ１２０に対してハウジング２０が最も浅い位置でロックされている。このように、軸方向における溝部４５と突部１２５とのロック位置は、アダプタ１２０に対する外筒部４０の軸方向での位置及び軸方向周りの位置に応じて変化する。従って作業者は、外筒部４０を操作することにより、アダプタ１２０に対する外筒部４０の軸方向でのロック位置を調整できる。これにより、種類に応じて異なる光モジュール１１０の軸方向長さを考慮して、ロック位置を調整できる。
【００２７】
図１０は、溝部４５の拡大図である。
図１０に示すように、ロック位置４５ａ、４５ｂ、４５ｃをそれぞれ画定する溝部４５の側壁部４５ａ１、４５ｂ１、４５ｃ１は、軸方向に対して斜めに設けられている。このため、例えば突部１２５がロック位置４５ｃで係合している場合にハウジング２０を抜く場合、外筒部４０を軸方向先端側に押しならが回転させて、突部１２５が側壁部４５ｃ１に沿うように移動させる。そして、突部１２５が溝部４５に沿って移動するように外筒部４０を操作して、突部１２５を溝部４５から離脱させる必要がある。このように、ロックを解除するためには、外筒部４０を軸方向と軸方向周りに操作しなければならない。従って、ロックが容易に外れることが防止されている。
【００２８】
また、外筒部４０を軸方向先端側に押す場合には、バネＳ１の付勢力に抗して押さなければならない場合があり得る。このような場合には。溝部４５から突部１２５が自然に離脱することは起こりにくい。このようにして、ロックが外れることが防止されている。
【００２９】
図１１Ａ〜１１Ｃは、光モジュール１１０の交換作業の説明図である。
図１１Ａに示すように、光モジュール１１０は、プリント基板１０４に設けられたＧに嵌合している。作業者は、アダプタ１２０内に手を挿入して光モジュール１１０の先端部をつかみ、手前に引っぱることにより、図１１Ｂに示すように光モジュール１１０がＧから抜け、図１１Ｃに示すように光モジュール１１０を取外すことができる。また、同様に、光モジュール１１０の代わりに他の種類の光モジュールを、アダプタ１２０内に挿入して容易にＧに装着させることができる。
【００３０】
ここで、図３に示すように、２つの挿入穴１１２が並んだ方向と直交する方向での光モジュール１１０の高さをＨとする。光モジュール１１０の高さ方向での光モジュール１１０から嵌合部１２２の内面までの距離をＬ１、Ｌ２とする。距離Ｌ１、Ｌ２のそれぞれは、高さＨの約０．２倍以上から約４倍以下である。尚、光モジュール１１０に隣接して設けられている他のコネクタとの干渉を防止することを考慮して、距離Ｌ１、Ｌ２を、それぞれ、高さＨの約１．５倍以下にしてもよい。また、光モジュール１１０のつかみ易さを考慮して、距離Ｌ１、Ｌ２のそれぞれは、高さＨの約０．５倍以上にしてもよい。尚、距離Ｌ１、Ｌ２は、同一の値でなくともよい。
【００３１】
防水装置の変形例について説明する。
図１２Ａ、１２Ｂ、１３Ａ、１３Ｂは、防水装置の第１変形例の説明図である。尚、上述した防水装置と変形例に係る防水装置とにおいて同一部分においては、同一の符号を付することにより重複する説明を省略する。
【００３２】
図１２Ａに示すように、筒部３０ａの先端側には軸方向に延びたガイド部３４が形成されている。ガイド部３４は、溝状に切欠されている。図１２Ｂに示すように、嵌合部１２２内には２つのガイド部１２４ａが形成されている。ガイド部１２４ａは、嵌合部１２２の内面側に突状に設けられており、軸方向に延びている。図１３Ｂに示すように、２つのガイド部３４ａが筒部３０ａに設けられている。アダプタ１２０ａにハウジング２０ａを嵌合させるためには、ガイド部１２４ａがガイド部３４ａ内に挿入させたうえで、嵌合部１２２ａ内に筒部３０ａを挿入する必要がある。このように、ガイド部３４ａ、１２４ａは、ハウジング２０ａとアダプタ１２０ａとの軸方向周りでの嵌合可能となる位置を規定する機能を有している。
【００３３】
また、図１３Ａに示すように、２つのガイド部１２４ａは、光モジュール１１０の２つの貫通孔１１２に並ぶように設けられている。詳細には、２つの貫通孔１１２の中心軸を通過する直線上に、２つのガイド部１２４ａが設けられている。また、光モジュール１１０は、この直線上であって２つのガイド部１２４間の略中心に設けられている。同様に、図１３Ｂに示すように、２つのガイド部３４ａは、２つのフェルール１１と並ぶように設けられている。詳細には、２つのフェルール１１を通過する直線上に、２つのガイド部３４ａが設けられている。また、光コネクタ１０は、この直線上であって２つのガイド部３４ａ間の略中心に設けられている。これにより、ガイド部３４ａ、１２４ａを係合させて嵌合部１２２内に筒部３０ａを挿入した場合には、２つの挿入穴１１２内にそれぞれ２つの本体部１２を挿入できる。このように、ガイド部１２４ａ、３４ａは、挿入穴１１２への本体部１２の挿入を案内する機能をも有している。
【００３４】
図１４は、防水装置の第２変形例の説明図である。
嵌合部１２２ｂには軸方向に延びたガイド部１２４ｂが２つ設けられている。ガイド部１２４ｂは、溝状に切欠されている。筒部３０ｂには、軸方向に延びた２つのガイド部３４ｂが設けられている。ガイド部３４ｂは、筒部３０の外面上に突状に設けられている。このようにガイド部１２４ｂ、３４ｂとが係合することにより、ハウジング２０ｂとアダプタ１２０ｂとの軸方向周りでの嵌合可能となる位置を規定している。このように、アダプタ１２０ｂ側に切欠状のガイド部を設け、ハウジング側に突状のガイド部を設けてもよい。
【００３５】
図１５Ａ、１５Ｂは、防水装置の第３変形例の説明図である。
図１５Ａは、アダプタ１２０ｃの正面図、図１５Ｂは、ハウジング２０ｃの正面図を示している。図１５Ａ、１５Ｂに示すように、アダプタ１２０ｃ、ハウジング２０ｃは、それぞれ光モジュール１１０ａ、光コネクタ１０ａを保持している。光コネクタ１０ａは、１芯型の光コネクタである。光モジュール１１０ａは、１芯型の光コネクタを接続可能な光モジュール１１０ａである。このように、１芯型の光コネクタ１０ａと光モジュール１１０ａとの接続部分を防水することもできる。尚、この場合においては、光コネクタ１０ａに取り付けられる取付部材は、一つでよい。また、取付部材を付勢するバネＳ１も一つでよい。光コネクタ１０ａを付勢する単一のバネＳ１のバネ定数Ｋ１は、１芯型の光コネクタ１０ａのフェルール１１を付勢するバネのバネ定数Ｋ２よりも大きい。これにより、光コネクタ１０ａと光モジュール１１０ａとを接続する際に、光コネクタ１０ａのバネが圧縮された後にバネＳ１が圧縮される。
【００３６】
図１６は、電気コネクタを採用した場合の防水装置の説明図である。
図１６に示すように、ハウジング２０は、光コネクタではなく電気コネクタ１０ｂを保持し、アダプタ１２０は、光モジュールではなく電気コネクタ１１０ｂを保持した例を示している。このように、本防水装置は、光接続のみならず、電気的接続を行なう電気コネクタにも採用できる。電気コネクタ１０ｂは、例えばオス型の電気コネクタであり、電気コネクタ１１０ｂは、例えばメス型の電気コネクタであるが、逆の関係であってもよい。
【００３７】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３８】
上記実施例においては、光コネクタが接続可能な接続対象物として、光モジュールを一例に説明した。しかしながら、光コネクタ同士を接続する場合に本防水装置を採用してもよい。この場合、ハウジング２０、アダプタ１２０は、それぞれ光コネクタを保持する。
【００３９】
上記実施例において、光コネクタ１０に、フランジ部６６を設けた取付部材６０を取り付けた例を示したが、取付部材６０はこのような形状に限定されない。例えば、フランジ部として機能する枠状のフランジ部材を光コネクタ１０のブーツ１８部分に嵌合させてもよい。この場合、フランジ部材は、貫通孔３６を挿通不能な程度の大きさを有し、仕切り壁５０との間でバネＳ１を圧縮可能に保持可能な大きさを有していればよい。
【００４０】
上記実施例では主に、２芯型の光コネクタを例に説明したが、２芯型の光コネクタを付勢するバネは単一のものを用いてもよい。この場合、２芯型の光コネクタを付勢する単一のバネのバネ定数Ｋ１は、２芯型の光コネクタに設けられている２つのバネの合計のバネ定数Ｋ２よりも大きい。この場合において、２芯型の光コネクタに設けられている各バネのバネ定数をＫ２´とすると、バネ定数の大小関係はＫ１＞Ｋ２＝２×Ｋ２´で示される。
【００４１】
上記実施例では、防水を考慮した結合構造を持つ防水装置を一例として説明した。しかしながら、本結合構造は、防水を考慮したものでなくてもよい。例えば、本結合構造は、防塵などを考慮したものであってもよい。また、本結合構造は、このような防水や防塵を考慮したものでなくてもよい。
【符号の説明】
【００４２】
１０、１０ａ  光コネクタ
１０ｂ、１１０ｂ  電気コネクタ
１１、１１１  フェルール
２０〜２０ｃ  ハウジング
３０〜３０ｂ  筒部
３４〜３４ｂ、１２４〜１２４ｂ  ガイド部
３５  支持部
３６  貫通孔
４０  外筒部
４５  溝部
４５ａ〜４５ｃ  ロック位置
４５ａ１〜４５ｃ１  側壁部
５０  仕切り壁
６０  取付部材
６６  フランジ部
１１０  光モジュール
Ｓ１〜Ｓ３  バネ
Ｒ１〜Ｒ３  リング状部材
１００  接続装置
１０２  筐体
１０４  プリント基板
１２０〜１２０ｃ  アダプタ
１２２  嵌合部
１２３嵌合溝部
１２５  突部
１２６  貫通孔
１２８  ベース部
【図１】
0005707808.tif 000002
【図２】
0005707808.tif 000003
【図３】
0005707808.tif 000004
【図４】
0005707808.tif 000005
【図５】
0005707808.tif 000006
【図６】
0005707808.tif 000007
【図７】
0005707808.tif 000008
【図８】
0005707808.tif 000009
【図９】
0005707808.tif 000010
【図１０】
0005707808.tif 000011
【図１１】
0005707808.tif 000012
【図１２】
0005707808.tif 000013
【図１３】
0005707808.tif 000014
【図１４】
0005707808.tif 000015
【図１５】
0005707808.tif 000016
【図１６】
0005707808.tif 000017